(57)【要約】【課題】システムが表示しているデータを外部へ容易に出力できるようにする。【解決手段】防災受信盤１０の電流測定部１００１は、トンネル内に設置された端末機器と防災受信盤１０とを結ぶ信号線１１ａ、１１ｃ、１１ｄに流れる電流を測定し、測定結果を記憶部１０９に記録する。防災受信盤１０は、測定結果をＧＯＴ１０４で表示する。防災受信盤１０は、ＵＳＢメモリが接続されると、表示している測定結果の画面を表す画像データを、ＵＳＢメモリへ出力する。【選択図】図１
2020035186.tif 000002
【特許請求の範囲】
【請求項１】
外部メモリが接続される接続手段と、
画像を表示する表示手段と、
前記接続手段に接続された前記外部メモリへ、前記表示手段が表示している画面のデータを出力する出力手段と、
前記接続手段に前記外部メモリが接続された場合、前記出力手段による前記データの出力を可能にする出力制御手段と、
を備える防災システム。
【請求項２】
前記データは、前記画面を表す画像データである
請求項１に記載の防災システム。
【請求項３】
前記出力制御手段は、前記接続手段に前記外部メモリが接続されると、利用者が前記外部メモリへ前記データの出力を指示するためのボタンを前記画面上に表示させ、
前記出力手段は、前記ボタンが前記利用者により選択されると、前記外部メモリへ前記データを出力する
ことを特徴とする請求項１又は２に記載の防災システム。
【請求項４】
自システムは、防災受信盤であり、前記データは、トンネル内に設置される複数の端末機器に接続されている信号線を流れる電流の値を示すことを特徴とする請求項１乃至３のいずれか一項に記載の防災システム。
【発明の詳細な説明】
【技術分野】
【０００１】
本発明は、防災システムに関する。
【背景技術】
【０００２】
防災受信盤と端末機器で構成されるトンネル防災システムにおいては、手動通報装置、消火栓起動装置、ダクト温度検知器等の端末機器は、防災受信盤に信号回線で接続される。この信号回線がどのような状態にあるかを調べる発明として、例えば特許文献１に開示された防災システムがある。この防災システムは、信号回線に流れる電流を測定し、防災受信盤に着脱可能なメモリカードに測定結果を記録し、防災受信盤が備えるメインモニタ装置やサブモニタ装置で測定結果のデータを表示する。表示されたデータを見ることにより、信号回線の絶縁の劣化等、信号回線がどのような状態にあるのかを把握することができる。
【先行技術文献】
【特許文献】
【０００３】
【特許文献１】特開２０１８−４５５４１号公報
【発明の概要】
【発明が解決しようとする課題】
【０００４】
防災受信盤で表示されているデータについては、必要に応じて防災受信盤からコピーし、パーソナルコンピュータなどの外部装置で確認を行うことがある。外部メモリへデータを保存する場合、メモリカードを防災受信盤から取り外し、メモリカード内のデータをコピーするのは、取り外しの手間やコピーの手間がかかることとなる。
【０００５】
本発明は、システムが表示しているデータを外部へ容易に出力できるようにすることを目的とする。
【課題を解決するための手段】
【０００６】
（１）本発明に係る防災システムは、外部メモリが接続される接続手段と、画像を表示する表示手段と、前記接続手段に接続された前記外部メモリへ、前記表示手段が表示している画面のデータを出力する出力手段と、前記接続手段に前記外部メモリが接続された場合、前記出力手段による前記データの出力を可能にする出力制御手段と、を備える。
【０００７】
（２）本発明に係る防災システムは、（１）に記載の構成において、前記データは、前記画面を表す画像データであることを特徴とする。
【０００８】
（３）また、本発明に係る防災システムは、（１）または（２）の構成において、前記出力制御手段は、前記接続手段に前記外部メモリが接続されると、利用者が前記外部メモリへ前記データの出力を指示するためのボタンを前記画面上に表示させ、前記出力手段は、前記ボタンが前記利用者により選択されると、前記外部メモリへ前記データを出力することを特徴とする。
【０００９】
（４）また、本発明に係る防災システムは、（１）乃至（３）いずれかの構成において、自システムは、防災受信盤であり、前記データは、トンネル内に設置される複数の端末機器に接続されている信号線を流れる電流の値を示すことを特徴とする。
【発明の効果】
【００１０】
上記の（１）の構成によれば、システムが表示しているデータを外部へ容易に出力することができる。
上記の（２）の構成によれば、外部へ出力されたデータを容易に確認することができる。
上記の（３）の構成によれば、画面を操作してデータを外部へ容易に出力することができる。
上記の（４）の構成によれば、トンネル内に設置される複数の端末機器に接続されている信号線を流れる電流の値を外部へ容易に出力することができる。
【図面の簡単な説明】
【００１１】
【図１】本発明に係る防災システム１の構成を説明する図。
【図２】伝送部１０２の構成を示したブロック図。
【図３】測定回路２０２ａ、測定回路２０２ｃ、測定回路２０２ｄの詳細を示した図。
【図４】ＧＯＴ１０４が表示するＧＵＩ画面の一例を示した図。
【図５】ＧＯＴ１０４が表示するＧＵＩ画面の一例を示した図。
【発明を実施するための形態】
【００１２】
［実施形態］
（全体構成）
図１は、防災システム１の概要を示した図である。防災システム１は、トンネル内で発生する火災の拡大を防ぐためのシステムである。図１においては、自動車専用道路で上り線のトンネル２ａと下り線のトンネル２ｂを有するトンネルに係る防災システム１の概要を示している。
【００１３】
トンネル２ａとトンネル２ｂの壁面には、トンネルの延伸方向に沿って予め定められた間隔で火災検知器３２が設置されている。火災検知器３２は、トンネルの上流側と下流側を監視して火災による炎を検知する。火災による炎が火災検知器３２により検知されると、火災信号が流れる。
【００１４】
トンネル２ａとトンネル２ｂには、トンネルの延伸方向に沿って換気や排気のためのダクトが設けられており、ダクト内においては、予め定められた間隔で温度検知器３１が設置されている。温度検知器３１は、接点手段として機能するスイッチを備えており、火災によりダクト内の温度が上昇すると、このスイッチがオンとなり、温度検知信号が流れる。
【００１５】
また、トンネル２ａとトンネル２ｂの監視員通路の壁面には、監視員通路の延伸方向に沿って、予め定められた間隔で消火栓装置３３と手動通報装置３４が設置されている。
【００１６】
消火栓装置３３は、初期消火用の放水設備であり、ノズル付きホースが接続された消火栓と消火器を扉内に収納している。火災時には消火栓扉を開いてノズル付きホースを引き出し、消火栓弁開閉レバーを開操作すると、消火栓へ給水を行うための消火栓起動スイッチがオンとなり、起動信号が流れる。起動信号が流れると、消火栓に給水を行う消火ポンプが起動し、ホースのノズルから消火用水が放水される。
【００１７】
また、消火栓装置３３には、消防隊が使用する給水栓と、給水栓へ給水を行う消火ポンプを起動する給水栓起動スイッチが設けられている。消防隊の操作により給水栓起動スイッチがオンとなると、起動信号が流れる。起動信号が流れると、消火ポンプが起動し、給水栓へ給水が行われる。なお、給水栓は必須の構成ではないため、消火栓装置３３は、給水栓を備えていない構成であってもよい。
【００１８】
なお、消火栓起動スイッチと給水栓起動スイッチは、共に同じ消火ポンプ起動して起動信号を出力するスイッチであることから、以下、消火栓起動スイッチおよび給水栓起動スイッチを起動スイッチと称する場合がある。
【００１９】
手動通報装置３４は、火災を知らせるための装置であり、押しボタンが操作されてスイッチがオンとなると、火災通報信号が流れる。なお、押しボタン式である手動通報装置は、トンネル２ａとトンネル２ｂの壁面に設けられた非常電話機にも設置されている。
【００２０】
手動通報装置３４、消火栓装置３３および温度検知器３１は、本発明に係る端末機器の一例である。
【００２１】
防災受信盤１０は、トンネル内の異常を検知する機能を有し、火災の発生を報知し、他の設備と連動してトンネル内の火災の拡大を防ぐ設備であり、トンネルの通信機械室に設置されている。
【００２２】
防災受信盤１０は、Ｐ型のシステムであり、温度検知器３１に接続されている信号線１１ａ、火災検知器３２に接続されている信号線１１ｂ、手動通報装置３４に接続されている信号線１１ｄ、および起動スイッチに接続されている信号線１１ｃが接続されている。
【００２３】
温度検知器３１に接続する信号線１１ａは、トンネル内を分割した複数の区画毎に設けられており、複数の信号線１１ａの各々は、対応する区画に設置されている温度検知器３１に接続されている。火災検知器３２に接続する信号線１１ｂは、トンネル内を分割した複数の区画毎に設けられており、複数の信号線１１ｂの各々は、対応する区画に設置されている火災検知器３２に接続されている。手動通報装置３４に接続する信号線１１ｄは、トンネル内を分割した複数の区画毎に設けられており、複数の信号線１１ｄの各々は、対応する区画に設置されている手動通報装置３４に接続されている。起動スイッチに接続する信号線１１ｃは、トンネル内を分割した複数の区画毎に設けられており、複数の信号線１１ｃの各々は、対応する区画に設置されている起動スイッチに接続されている。
【００２４】
また、防災システム１は、消火ポンプの制御と、ダクトを冷却するダクト冷却ポンプの制御を行うポンプ制御盤２１を備える。
【００２５】
（防災受信盤１０の構成）
防災受信盤１０は、制御部１０１、伝送部１０２、通信部１０３、ＧＯＴ１０４、操作部１０５、警報部１０６、ポンプ制御部１０７、表示部１０８、および記憶部１０９を備える。
【００２６】
制御部１０１は、所謂ＰＬＣ（Programmable Logic Controller）であり、ＣＰＵおよびメモリを有するＣＰＵユニット、電源ユニット、ＡＤ変換機能を有する入力ポートを含む各種の入力ポートおよび出力ポートを備えた入出力ユニットを備える。
【００２７】
伝送部１０２は、信号線１１ａ、信号線１１ｂ、信号線１１ｃおよび信号線１１ｄに接続されている。伝送部１０２は、温度検知信号、火災信号、起動信号、および火災通報信号を制御部１０１へ供給する。
【００２８】
ＧＯＴ（Graphic Operation Terminal）１０４は、タッチパネルを備えた入出力装置である。ＧＯＴ１０４は、制御部１０１と協働して各種のＧＵＩ画面を表示し、ＧＵＩ画面に対して行われた操作を受け付ける。ＧＯＴ１０４は、信号線１１ａ、信号線１１ｃおよび信号線１１ｄを流れる電流の測定結果の表示や、電流の測定に係る設定画面の表示などを行う。また、ＧＯＴ１０４は、ＵＳＢ端子を備えており、ＵＳＢ端子に接続されたＵＳＢメモリに対して各種データを出力する。ＧＯＴ１０４は、本発明に係る表示手段および本発明に係る接続手段の一例である。
【００２９】
通信部１０３は、通信ネットワーク３を介して外部の上位設備である遠隔制御設備３０と通信を行うための通信インターフェースとして機能する。操作部１０５は、防災受信盤１０を操作するための各種スイッチやボタンを有する。警報部１０６は、スピーカ、主音響装置、警報表示灯を有し、火災発生時に警報を発する。ポンプ制御部１０７は、ポンプ制御盤２１を制御し、消火ポンプやダクト冷却ポンプの制御を行う。表示部１０８は、液晶ディスプレイ装置を有し、火災の発生の警報表示や、信号線１１ａ、信号線１１ｃおよび信号線１１ｄを流れる電流の異常表示などを行う。記憶部１０９は、例えば、メモリカードなどの不揮発性メモリであり、伝送部１０２に接続されている信号線に流れる電流の測定結果を記憶する。なお、制御部１０１は、ＰＬＣに限定されるものではなく、ＣＰＵ、メモリ、入出力ユニットを備えたマイクロコンピュータまたはパーソナルコンピュータであってもよい。また、本実施形態においては、表示部１０８と操作部１０５とがメイン表示操作部を構成し、ＧＯＴ１０４がサブ表示操作部を構成し、別々の構成となっているが、一体の構成であってもよい。
【００３０】
（伝送部１０２の構成）
図２は、伝送部１０２の構成を示したブロック図である。トンネル内を分割した複数の区画５の各々には、区画５に配置されている温度検知器３１、消火栓装置３３、手動通報装置３４が含まれる。伝送部１０２は、トンネル内を分割した複数の区画５毎に入出力ユニット２００を備えている。
【００３１】
入出力ユニット２００は、信号受信部２０１ａ、信号受信部２０１ｃおよび信号受信部２０１ｄを有する。信号受信部２０１ａは、対応する区画５に含まれる温度検知器３１に信号線１１ａで接続されている。信号受信部２０１ｃは、対応する区画５に含まれる消火栓装置３３に信号線１１ｃで接続されている。信号受信部２０１ｄは、対応する区画５に含まれる手動通報装置３４に信号線１１ｄで接続されている。
【００３２】
また、入出力ユニット２００は、測定回路２０２ａ、測定回路２０２ｃおよび測定回路２０２ｄを有する。測定回路２０２ａは、信号線１１ａに流れる電流を測定するための回路である。測定回路２０２ｃは、信号線１１ｃに流れる電流を測定するための回路である。測定回路２０２ｄは、信号線１１ｄに流れる電流を測定するための回路である。
【００３３】
図３は、測定回路２０２ａ、測定回路２０２ｃおよび測定回路２０２ｄの詳細を示した図である。信号線１１ａ、信号線１１ｃおよび信号線１１ｄは、具体的には、信号ラインＬとコモンラインＣで構成されている。信号ラインＬは抵抗Ｒ２を介して電源電圧Ｖｃに接続されてプルアップされて直流信号が流れており、コモンラインＣはグランドに接続されている。
【００３４】
信号ラインＬとコモンラインＣからなる信号線１１ａには、温度検知器３１に設けられているスイッチＳＷａおよび終端抵抗Ｒ１が並列に接続されており、通常状態でスイッチＳＷａは図示したようにオフとなっている。
【００３５】
信号ラインＬとコモンラインＣからなる信号線１１ｃには、消火栓装置３３に設けられている起動スイッチＳＷｃおよび終端抵抗Ｒ１が並列に接続されており、通常状態で起動スイッチＳＷｃは図示したようにオフとなっている。
【００３６】
信号ラインＬとコモンラインＣからなる信号線１１ｄには、手動通報装置３４に設けられているスイッチＳＷｄおよび終端抵抗Ｒ１が並列に接続されており、通常状態でスイッチＳＷｄは図示したようにオフとなっている。
【００３７】
スイッチＳＷａがオフしている通常状態では、信号ラインＬとコモンラインＣの間の電圧は電源電圧Ｖｃとなっており、この電圧が信号受信部２０１ａに入力されている。スイッチＳＷａのいずれかが温度上昇によりオンとなると、信号ラインＬとコモンラインＣの間の電圧が低下する。信号受信部２０１ａは、信号ラインＬとコモンラインＣの間の電圧が予め定められた電圧より低下した場合、温度検知信号を制御部１０１へ出力する。
【００３８】
また、起動スイッチＳＷｃがオフしている通常状態では、信号ラインＬとコモンラインＣの間の電圧は電源電圧Ｖｃとなっており、この電圧が信号受信部２０１ｃに入力されている。起動スイッチＳＷｃのいずれかがオンとなると、信号ラインＬとコモンラインＣの間の電圧が低下する。信号受信部２０１ｃは、信号ラインＬとコモンラインＣの間の電圧が予め定められた電圧より低下した場合、起動信号を制御部１０１へ出力する。
【００３９】
スイッチＳＷｄがオフしている通常状態では、信号ラインＬとコモンラインＣの間の電圧は電源電圧Ｖｃとなっており、この電圧が信号受信部２０１ｄに入力されている。押しボタンが操作されてスイッチＳＷｄのいずれかがオンとなると、信号ラインＬとコモンラインＣの間の電圧が低下する。信号受信部２０１ｄは、信号ラインＬとコモンラインＣの間の電圧が予め定められた電圧より低下した場合、火災通報信号を制御部１０１へ出力する。
【００４０】
測定回路２０２ａ、測定回路２０２ｃおよび測定回路２０２ｄは、信号ラインＬとコモンラインＣとの間の電圧を検出するための回路であり、信号ラインＬに接続する信号ラインＬａを有する。なお、測定回路２０２ａ、測定回路２０２ｃおよび測定回路２０２ｄは、図示した回路に限定されるものではなく、信号ラインＬにおいて信号ラインＬａが接続されている点とコモンラインＣとの間の電圧を信号ラインＬに流れる電流の増加に応じて変化させる回路であればよい。
【００４１】
選択部２１０は、接続される複数の信号ラインＬａ毎にリレー回路を備えている。選択部２１０においては、制御部１０１からの制御信号によりリレー回路が動作し、複数の信号ラインＬａのうちの一つがリレー回路により制御部１０１のＡＤ変換ポートに接続される。
【００４２】
（制御部１０１の構成）
制御部１０１においては、ＣＰＵがプログラムを実行することにより、本発明に係る電流測定部１００１、出力部１００２、出力制御部１００３、監視部１００４、ＧＵＩ部１００５を実現する。
【００４３】
監視部１００４は、伝送部１０２から供給される信号に応じて各部を制御する。監視部１００４は、例えば、手動通報装置３４の操作による火災通報信号を受信した場合、警報部１０６を制御して主音響装置を鳴動させ、表示部１０８を制御して火災表示と手動通報区画表示を行う。また、監視部１００４は、火災通報信号を受信した場合、ポンプ制御部１０７でポンプ制御盤２１を制御して消火ポンプを起動する。
【００４４】
また、監視部１００４は、ダクト内温度が上昇したことにより温度検知信号を受信した場合、ポンプ制御部１０７でポンプ制御盤２１を制御して冷却ポンプを起動し、ダクト内に設置されているヘッドから散水してダクト内を冷却する制御を行う。
【００４５】
電流測定部１００１は、信号線１１ａ、信号線１１ｃおよび信号線１１ｄに流れる電流の電流値をＡＤ変換ポートで測定し、測定結果を記憶部１０９に記録する。電流測定部１００１は、信号ラインＬａとグランド間の電圧ＶａをＡＤ変換ポートで測定することにより、信号ラインＬに流れる電流の電流値Ｉを、例えば、Ｉ＝（Ｖｃ−Ｖａ）／Ｒ２の式で算出する。
【００４６】
電流測定部１００１は、一日の予め定められた時刻となると、選択部２１０を制御し、選択部２１０に接続されている信号ラインＬａを順次ＡＤ変換ポートへ接続する。電流測定部１００１は、接続された信号ラインＬａ毎に電圧を測定し、接続された信号ラインＬａに流れる電流の電流値Ｉを、測定した電圧から算出し、算出した電流値を記憶部１０９に記録する。
【００４７】
また、電流測定部１００１は、全ての信号ラインＬに流れる電流の測定を指示する操作がＧＯＴ１０４において行われた場合には、選択部２１０を制御して信号ラインＬａを順次ＡＤ変換ポートへ接続する。電流測定部１００１は、接続された信号ラインＬａ毎に電圧を測定し、接続された信号ラインＬａに流れる電流の電流値を測定した電圧から算出し、算出した電流値を記憶部１０９に記録する。
【００４８】
また、電流測定部１００１は、電流値を測定する信号ラインＬがＧＯＴ１０４において選択され、選択された信号ラインＬに流れる電流の測定を指示する操作がＧＯＴ１０４において行われた場合には、選択された信号ラインＬに接続されている信号ラインＬａをＡＤ変換ポートに接続する。電流測定部１００１は、接続された信号ラインＬａの電圧を測定し、接続された信号ラインＬａに流れる電流の電流値を測定した電圧から算出し、算出した電流値を記憶部１０９に記録する。
【００４９】
信号ラインＬに流れる電流が増加すると、信号ラインＬとコモンラインＣとの間の電圧Ｖａが流れる電流の増加に比例して増加する。例えば、信号線１１ａの絶縁が劣化すると、絶縁抵抗が低下し、信号線１１ａを流れる電流が増加するため、信号ラインＬとコモンラインＣとの間の電圧Ｖａが増加する。電圧Ｖａが変化すると、前述の式で得られる電流値Ｉが変化するため、電流測定部１００１が信号ラインＬに流れる電流を測定し、電流値Ｉの変化を監視することにより、信号線の絶縁低下を判定することができる。
【００５０】
出力部１００２は、ＧＯＴ１０４に表示されている画面を表す画像データを、ＧＯＴ１０４のＵＳＢ端子に接続されているＵＳＢメモリに出力する。
【００５１】
出力制御部１００３は、ＧＯＴ１０４が備えるＵＳＢ端子へＵＳＢメモリが接続されたことを検知する。出力制御部１００３は、ＵＳＢ端子にＵＳＢメモリが接続されると、出力部１００２がＵＳＢメモリへ画像データを出力するのを許可する。
【００５２】
ＧＵＩ部１００５は、ＧＯＴ１０４に対して行われた操作や操作部１０５で行われた操作に応じてＧＯＴ１０４で各種画面を表示する。例えば、ＧＵＩ部１００５は、測定した電流値の測定結果を表示する操作が行われた場合、記憶部１０９に記憶されている測定結果を、ＧＯＴ１０４で表示する。
【００５３】
（実施形態の動作例）
次に、ＧＯＴ１０４に表示されている電流の測定結果をＵＳＢメモリへ出力するときの動作例について説明する。
【００５４】
図４は、信号ラインＬに流れる電流の測定を行うときにＧＯＴ１０４が表示するＧＵＩ画面（自動測定画面）の一例である。例えば、信号ラインを点検する利用者により図４に示したボタンＢ３を押す操作が行われると、電流測定部１００１は、選択部２１０を制御して信号ラインＬａを順次ＡＤ変換ポートへ接続する。電流測定部１００１は、接続された信号ラインＬａ毎に電圧を測定し、接続された信号ラインＬａに流れる電流の電流値を測定した電圧から算出し、算出した電流値を記憶部１０９に記録する。電流測定部１００１は、一の信号ラインＬａについて、流れる電流値の測定を終える毎にＧＵＩ画面を更新して測定値を表示する。例えば、電流測定部１００１は、信号ラインＬａの識別のために信号ラインＬａの各々に付与されている回線番号が００３の信号ラインＬａについて測定が終了すると、算出した電流値を「Ｎｏ．」の列の「００３」の行に表示する。なお、図４の画面例では、各回線番号に対応して、電流値を異常と判断するしきい値下限、電流値を異常と判断するしきい値上限、および電流値の測定値が表示されている。そして、測定値がしきい値範囲外である場合は、電流値異常と判断されて、測定値の欄がハイライト表示される。
【００５５】
図４に示したボタンＢ１は、ＧＯＴ１０４に表示されているＧＵＩ画面を表す画像データをＵＳＢメモリへ出力するときに操作するボタンであり、ボタンＢ２は、ＧＯＴ１０４のＵＳＢ端子に接続されたＵＳＢメモリを取り外すときに操作するボタンである。出力制御部１００３は、ＧＯＴ１０４のＵＳＢ端子にＵＳＢメモリが装着されていないときは、ボタンＢ１およびボタンＢ２をグレーアウトで表示する。出力制御部１００３は、ＧＯＴ１０４のＵＳＢ端子にＵＳＢメモリが装着されると、ボタンＢ１とボタンＢ２のグレーアウトを解除する。
【００５６】
出力制御部１００３は、グレーアウトが解除されたボタンＢ１が操作されると、出力部１００２からＵＳＢメモリへのデータの出力を許可する。データの出力が許可された出力部１００２は、ＧＯＴ１０４に表示されているＧＵＩ画面を表す画像データをＵＳＢメモリへ出力する。次に、ボタンＢ２が操作されると、出力制御部１００３は、ＵＳＢメモリを取り外す処理を行い、ボタンＢ１とボタンＢ２をグレーアウトの表示にする。
【００５７】
本実施形態によれば、ＵＳＢメモリをＧＯＴ１０４に装着した後、表示しているデータをボタンの操作だけで外部メモリへ容易に出力することができる。また、本実施形態によれば、ＵＳＢメモリに出力された画像データを、パーソナルコンピュータにおいて画像ビューワーで表示すると、ＧＯＴ１０４に表示されていた電流値の測定結果の画面を閲覧することができる。
【００５８】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００５９】
上述した実施形態においては、ＵＳＢメモリがＧＯＴ１０４のＵＳＢ端子に接続されていない場合、ボタンＢ１とボタンＢ２がグレーアウトされているが、本発明においては、ＵＳＢメモリがＧＯＴ１０４のＵＳＢ端子に接続されていない場合には、ボタンＢ１とボタンＢ２を表示せず、ＵＳＢメモリがＧＯＴ１０４のＵＳＢ端子に接続されると、ボタンＢ１とボタンＢ２を表示するようにしてもよい。
【００６０】
上述した実施形態においては、ボタンＢ１を操作することにより、ＧＯＴ１０４に表示されている画面の画像データがＵＳＢメモリへ出力されるが、本発明においては、ＵＳＢメモリがＵＳＢ端子に接続されると、ＧＯＴ１０４への操作が行われなくとも、ＧＯＴ１０４が表示している画面の画像データを自動的にＵＳＢメモリへ出力する構成としてもよい。
【００６１】
上述した実施形態においては、出力部１００２は、ＧＯＴ１０４に表示されている電流の測定結果を画像データでＵＳＢメモリへ出力しているが、本発明においては、表示されている測定結果の電流値を例えば、ＣＳＶ（Comma-Separated Values）データとしてＵＳＢメモリへ出力してもよく、また、画像データとＣＳＶデータの両方をＵＳＢメモリへ出力してもよい。
【００６２】
上述した実施形態においては、出力部１００２は、電流の測定結果の画面の画像データをＵＳＢメモリへ出力しているが、本発明においては、電流の測定結果の表示画面以外の画面の画像データを出力してもよい。例えば、制御部１０１で入出力ユニットの異常が検知され、入出力ユニットの異常を知らせる画面がＧＯＴ１０４で表示されている場合、ＧＵＩ画面を表す画像データをＵＳＢメモリへ出力するための操作がされると、出力部１００２は、入出力ユニットの異常を知らせる画面の画像データをＵＳＢメモリへ出力してもよい。また、信号ラインＬａを流れる電流の異常の履歴をＧＯＴ１０４で表示し、表示した履歴の画面の画面データをＵＳＢメモリへ出力してもよい。図５は、信号ラインＬａを流れる電流の異常の履歴画面の一例を示した図である。図５においては、回線番号が００１の信号ラインＬを流れる電流の電流値がしきい値の上限を超えたときの日時と、回線番号が００３の信号ラインＬを流れる電流の電流値がしきい値の下限未満となったときの日時が示されている。図５の画面において、ユーザがボタンＢ１を操作すると、図５の画面の画像データがＵＳＢメモリへ出力される。なお、図４に示した自動測定画面の電流の測定結果の画面や図５に示した異常履歴画面にて表示している信号線１１（信号ラインＬ）等の異常状態について、表示している画面の画像データとしてＵＳＢメモリに保存できるため、ＵＳＢメモリから必要とするファイルを見つけて、迅速に内容を確認することができ、保守・メンテナンス時等の作業効率の向上及び不具合発生時の早急な対応が可能となる。
【００６３】
上述した実施形態においては、ＧＯＴ１０４が表示している画面の画像データをＵＳＢメモリへ出力しているが、画像データの出力先はＵＳＢメモリに限定されるものではなく、例えば、フラッシュメモリ、ハードディスクドライブ、ソリッドステートドライブ、ＵＳＢで接続されたパーソナルコンピュータ、タブレット端末、スマートフォンなどに画像データを出力してもよい。
【００６４】
本発明においては、画像データの出力先と無線通信により接続し、無線通信により接続した外部メモリへ画像データを出力してもよい。例えば、Bluetooth（登録商標）やWi-fi（登録商標）ＮＦＣ（Near field communication）などの無線通信により他の装置に接続し、接続した装置に画像データを出力してもよい。
【００６５】
上述した実施形態においては、トンネル内に設置されている端末機器と防災受信盤１０とを接続する信号線について、流れる電流を防災受信盤１０で測定しているが、例えば、ビルなどの建築物に設置される火災受信機と熱や煙を感知する感知器や発信機とを接続する信号線に流れる電流について、火災受信機で測定して測定結果をＧＯＴで表示し、ＧＯＴが表示した測定結果の画面をＵＳＢメモリへ出力してもよい。
【符号の説明】
【００６６】
１…防災システム、２ａ、２ｂ…トンネル、３…通信ネットワーク、５…区画、１０…防災受信盤、１１ａ、１１ｂ、１１ｃ、１１ｄ…信号線、２１…ポンプ制御盤、３０…遠隔制御設備、３１…温度検知器、３２…火災検知器、３３…消火栓装置、３４…手動通報装置、１０１…制御部、１０２…伝送部、１０３…通信部、１０４…ＧＯＴ、１０５…操作部、１０６…警報部、１０７…ポンプ制御部、１０８…表示部、１０９…記憶部、２００…入出力ユニット、２０１ａ、２０１ｃ、２０１ｄ…信号受信部、２０２ａ、２０２ｃ、２０２ｄ…測定回路、２１０…選択部、１００１…電流測定部、１００２…出力部、１００３…出力制御部、１００４…監視部、１００５…ＧＵＩ部。
【図１】
2020035186.tif 000003
【図２】
2020035186.tif 000004
【図３】
2020035186.tif 000005
【図４】
2020035186.tif 000006
【図５】
2020035186.tif 000007